(57)【要約】  【課題】  クッションとして使用することができるクッション兼用枕を提供すること。  【解決手段】  クッション材を充填した二つのユニット２０１と、ユニット２０１を連結する連結部１０２と、により形成されており、連結部１０２において折り返し、ユニット２０１を重ねることにより枕とすることでき、また、ユニット２０１を重ねずに、シート状に広げることによりクッションとすることができるクッション兼用枕１００を提供する。  【選択図】  図１
2005027962.tif 000002
【特許請求の範囲】
【請求項１】
クッション材を充填する少なくとも二つ以上のユニットと、前記ユニットを連結する連結部と、によりシート状に形成したクッション兼用枕。
【請求項２】
前記クッション材と前記連結部とは、一方向に交互に連続して設けられていることを特徴とする請求項１に記載のクッション兼用枕。
【請求項３】
前記クッション材と前記連結部とは、一方向に交互に連続して設けられている第一の列と、前記第一の列と同一方向に交互に連続して設けられている第二の列と、によりシート状に形成されていることを特徴とする請求項１に記載のクッション兼用枕。
【請求項４】
前記クッション材は、そば殻で作った炭とそば殻とを混合したものであることを特徴とする請求項１乃至３の何れか一項に記載のクッション兼用枕。
【請求項５】
そば殻で作った炭とそば殻との混合比は、１対１であることを特徴とする請求項４に記載のクッション兼用枕。
【請求項６】
前記ユニットは、通気性を有するものであることを特徴とする請求項４又は５に記載のクッション兼用枕。
【請求項７】
前記ユニットは、一部に開口部を有するカバー体と、前記カバー体の内部に収納され、前記クッション材を充填した袋体と、により形成されており、
前記袋体は、前記開口部を介して前記カバー体から取り外し自在にされていることを特徴とする請求項１乃至６の何れか一項に記載のクッション兼用枕。
【請求項８】
前記カバー体及び前記袋体は、通気性を有するものであることを特徴とする請求項７に記載のクッション兼用枕。
【発明の詳細な説明】
【技術分野】
【０００１】
本発明は、クッション兼用枕に関する。
【背景技術】
【０００２】
従来の枕としては、袋状に形成されたカバー体に、そば殻、樹脂、炭などを充填することにより構成されていた（例えば、特許文献１、特許文献２参照）。
【特許文献１】登録実用新案第３０４６９０３号公報
【特許文献２】特開第２００３−１３５２３７号公報
【発明の開示】
【発明が解決しようとする課題】
【０００３】
しかしながら、従来の枕では、クッションとして使用することはできず、また、高さを自在に変えることができず不便であった。
【０００４】
そこで、本発明は、クッションとして使用することができ、また、高さを自在に変えることができるクッション兼用枕を提供することを目的とする。
【課題を解決するための手段】
【０００５】
以上の課題を解決するため、本発明は、クッション材を充填する少なくとも二つ以上のユニットと、前記ユニットを連結する連結部と、によりシート状に形成したクッション兼用枕を提供する。
【０００６】
このように、二つのユニットを連結部により連結することにより、この連結部の部分で折り返すことで、ユニット同士を重ねることや、一のユニットの周りに他のユニットを巻き付けることで枕とすることができ、また、ユニット同士をシート状に広げることでクッションとして使用することができる。
【０００７】
クッション材と連結部とを、一方向に交互に連続して設けることで、ユニット同士を重ねたり、一のユニットの周りに他のユニットを巻き付けたりすることができる。
【０００８】
また、クッション材と連結部とを、一方向に交互に連続して設けられている第一の列と、この第一の列と同一方向に交互に連続して設けられている第二の列と、によりシート状に形成することもできる。
【０００９】
この場合には、第一の列と第二の列とを重ねて一のユニットに他のユニットを重ねたり、一のユニットの周りに他のユニットを巻き付けたりすることもでき、また、第一の列と第二の列を重ねないで、第一の列と第二の列とを並列状態にしたまま、一のユニットの周りに他のユニットを重ねたり、巻き付けたりすることができる。
【００１０】
なお、クッション材としては、そば殻で作った炭とそば殻とを混合したものを使用することができ、この際の混合比は、１対１とすることが望ましい。
【００１１】
また、このようにクッション材として、そば殻で作った炭とそば殻とを混合したものを使用する場合には、これらを収納するユニットは、通気性を有するものを用いることが望ましい。
【００１２】
ここで、ユニットについては、一部に開口部を有するカバー体と、このカバー体の内部に収納され、クッション材を充填した袋体と、により形成し、この袋体をカバー体の開口部を介してカバー体から取り外し自在にすることで、枕にした際の高さを自在に変えることができるようになる。
【００１３】
この場合には、カバー体及び袋体は通気性を有するものにより形成することにより、例えば、クッション材としてそば殻で作った炭とそば殻とを混合したものを使用する場合にも、そば殻で作った炭による除湿、脱臭効果やマイナスイオン発生効果を享受することができる。
【発明の効果】
【００１４】
以上のように、本発明によれば、重ね合わせ又は巻き合わせることにより枕とし、シート状に広げることによりクッションとして使用することができ、また、クッション材を挿入するユニットをカバー体とクッション材が挿入されている袋体とにより構成することで、このカバー体から袋体を取り外し、高さを自在に変えることができるクッション兼用枕を提供することができる。
【発明を実施するための最良の形態】
【００１５】
図１は、本発明の第一の実施形態に係るクッション兼用枕１００の上方斜視図である。
【００１６】
本実施形態に係るクッション兼用枕１００は、二つのユニット１０１と、このユニットを連結する連結部１０２と、により構成されている。
【００１７】
ユニット１０１及び連結部１０２は、通気性を有する二枚の布地を縫い合わせることにより形成されており、ユニット１０１は、二枚の布地により袋状に形成されており、連結部１０２は二枚の布地を縫い合わせることにより形成されている。
【００１８】
ユニット１０１は、そば殻で作った炭とそば殻とを混合したクッション材が充填した後、このクッション材を充填した開口部を縫い合わせて密閉している。
【００１９】
ここで、そば殻で作った炭を充填することにより、除湿、脱臭、防ダニ効果を発揮するとともに、マイナスイオン及び遠赤外線を照射するため安眠効果も発揮する。
【００２０】
なお、そば殻から作った炭のみを充填したのでは、使用を重ねることによりつぶれてしまうため、所定の厚さを保持することができないため、そば殻を混合している。
【００２１】
ここで、本願発明者が鋭意実験を行ったところによると、そば殻で作った炭とそば殻との混合割合は、１対１をすることにより、そば殻で作った炭による各種効果を十分に保持したまま、枕及びクッションとして使用した際の厚さを十分に確保することができる。
【００２２】
ユニット１０１の大きさについては、これらのユニット同士を重ねた際に枕にすることができ、また、シート状に広げた際にクッションとすることができる範囲で適時選択することができる。
【００２３】
ユニット１０１同士を連結する連結部１０２は、二枚の布地を縫い合わせることにより形成されている。
【００２４】
ここで、連結部１０２の大きさについても、この部分を折り返すことにより、ユニット１０１を重ねることができる範囲で適時選択することができる。
【００２５】
以上のように本実施形態に係るクッション兼用枕を構成することにより、連結部１０２の部分で折り返すことで、ユニット１０１同士を重ねて枕とすることができ、また、ユニット１０１同士を重ねないでシート状に広げることでクッションとして使用することができ、また、クッション材として、そば殻で作った炭とそば殻とを混合したものを用いているため、除湿、脱臭、防ダニ効果や、マイナスイオン発生効果、遠赤外線放射効果を有するようになる。
【００２６】
なお、本実施形態においては、二枚の布地を縫い合わせることにより、ユニット１０１及び連結部１０２を連続して形成しているが、このようなものに限定されるわけではなく、例えば、二つのユニット１０１を別個に形成し、これらのユニット１０１を連結部１０２により結合することも可能である。
【００２７】
また、この場合には、ユニット１０１の一部のみを連結部１０２により連結することもできる。
【００２８】
さらに、本実施形態では、ユニット１０１及び連結部１０２を布地により形成しているが、布地には限定されず、樹脂シートその他の素材を使用することもできる。
【００２９】
図２は、本発明の第二の実施形態に係るクッション兼用枕２００の上方斜視図である。
【００３０】
本実施形態に係るクッション兼用枕２００は、五つのユニット２０１と、このユニット２０１を連結する四つの連結部２０２と、により構成されている。
【００３１】
本実施形態に係るクッション兼用枕２００は、通気性を有する二枚の布地を縫い合わせることにより形成されており、ユニット２０１と連結部２０２とを、一方向に交互に連続して設けることによりシート状になるようにされている。
【００３２】
本実施形態におけるユニット２０１は、二枚の布地により袋状に形成されたケース体２０３の長さ方向の一端に設けられた開口部２０３ａから、その内部にクッション材を充填した袋体２０４を収納することにより形成されており、袋体２０４は、ケース体２０３の開口部２０３ａを介して、ケース体２０３から取り外し自在にされている。
【００３３】
ここで、袋体２０４の内部に収納されているクッション材は、第一の実施形態と同様に、そば殻から作った炭とそば殻とを１対１の混合比で混合したものを用いている。
【００３４】
なお、袋体２０４についても二枚の布地を縫い合わせることにより、袋状に形成し、この内部にクッション材を充填した後、クッション材を充填した開口部を縫合することにより密閉している。
【００３５】
ユニット２０１の大きさについては、これらのユニット２０１同士を巻き付けた際に枕にすることができ、また、シート状に広げた際にクッションとすることができる範囲で適時選択することができる。
【００３６】
ユニット２０１同士を連結する連結部２０２は、第一の実施形態と同様に、二枚の布地を縫い合わせることにより形成されている。
【００３７】
ここで、連結部２０２の大きさについても、この部分を折り返すことにより、ユニット２０１を巻き合わせることができる範囲で適時選択することができる。
【００３８】
以上のように本実施形態に係るクッション兼用枕２００を構成することにより、連結部２０２の部分で折り返すことで、一のユニット２０１の周りに他のユニット２０１を巻き付けて枕とすることができ、また、ユニット２０１同士を巻き付けないでシート状に広げることでクッションとして使用することができ、また、クッション材として、そば殻で作った炭とそば殻とを混合したものを用いているため、除湿、脱臭、防ダニ効果や、マイナスイオン発生効果、遠赤外線放射効果を有するようになる。
【００３９】
また、カバー体２０３から袋体２０４を取り外すことにより、ユニット２０１を巻き付けた際の高さを変えることができるようになる。
【００４０】
以上に記載した実施形態においては、クッション材としてそば殻で作った炭とそば殻とを混合したものを用いているが、このようなものに限定されるわけではなく、枕又はクッションにおいて使用することができるクッション材であればどのようなものであっても用いることもできる。
【００４１】
また、以上に記載した実施形態においては、二枚の布地を縫い合わせることにより、ユニット２０１のカバー体２０３及び連結部２０２を連続して形成しているが、例えば、ユニット２０１のカバー体２０３を別個に形成し、これを連結部２０２により連結することも可能である。
【００４２】
この場合には、連結部２０２は、カバー体２０３の一部のみを連結するようにすることもできる。
【００４３】
図３は、本発明の第三の実施形態に係るクッション兼用枕３００の上方斜視図である。
【００４４】
本実施形態に係るクッション兼用枕３００は、五つのユニット３０１と、このユニット３０１を連結する四つの連結部２０２と、により構成されている第一の列３０７と、五つのユニット３０１と、このユニット３０１を連結する四つの連結部３０２と、により構成されている第二の列３０８と、を連結部３０２により連結することにより構成されている。
【００４５】
ここで、第一の列３０７と第二の列３０８の構成は、第二の実施形態に係るクッション兼用枕２００と同様に形成されているため、説明を省略する。
【００４６】
以上のように本実施形態に係るクッション兼用枕３００を構成することにより、第一の列３０７と第二の列３０８とを連結している連結部３０２を折り返して、第一の列３０７と第二の列３０８とを重ねてから、一のユニット３０１の周りに他のユニット３０１を巻き付けることもでき、また、この第一の列３０７と第二の列３０８とを重ねないで並列させたまま、一のユニット３０１の周りに他のユニット３０１を巻き付けることできる。
【００４７】
なお、ユニット３０１同士を巻き付けないでシート状に広げることでクッションとして使用することができるのは、上述した実施形態と同様である。
【００４８】
なお、本実施形態においては、図３に表されているように、第一の列３０７のユニット３０１の隣りに第二の列３０８のユニット３０１が配置され、第一の列３０７の連結部３０２の隣りに第二の列３０８の連結部３０２が配置されるようにしているが、このような配置に限られず、例えば、図４に表されているように、第一の列３０７のユニット３０１の隣りに第二の列３０８の連結部３０２が配置され、第一の列３０７の連結部３０２の隣りに第二の列３０８のユニット３０１が配置されるようにすることもできる。
【図面の簡単な説明】
【００４９】
【図１】第一の実施形態に係るクッション兼用枕１００の上方斜視図。
【図２】第二の実施形態に係るクッション兼用枕２００の上方斜視図。
【図３】第三の実施形態に係るクッション兼用枕３００の上方斜視図。
【図４】クッション兼用枕３００の変形例を表す上方斜視図。
【符号の説明】
【００５０】
１００、２００、３００  クッション兼用枕
１０１、２０１、３０１  ユニット
１０２、２０２、３０２  連結部
２０３  ケース体
２０４  袋体
【図１】
2005027962.tif 000003
【図２】
2005027962.tif 000004
【図３】
2005027962.tif 000005
【図４】
2005027962.tif 000006